(57)【要約】【課題】イヤホンモード及びスピーカーモードを有する音声出力デバイスを提供する。【解決手段】音声出力デバイスは、音声出力デバイスにおけるラウドスピーカーモジュールの連結状態を調節することによってラウドスピーカーモジュールの回路抵抗値を変更する。このようにして、音声出力デバイスをイヤホンモード又はスピーカーモードの出力音量値に設定し、ユーザの要求に合うように、且つ音声出力デバイスの使用上の利便性を向上するようにする。【選択図】図１
2008263299.tif 000002
【特許請求の範囲】
【請求項１】
イヤホンモード及びスピーカーモードを有する音声出力デバイスであって、
音源信号を受信するための音源信号入力インターフェースと、出力音量値を調節するための第１の連結点を有する第１のラウドスピーカーモジュールと、
音源信号入力インターフェースに電気的に結合され、出力音量値を調節するための第２の連結点を有する第２のラウドスピーカーモジュールと、を備え、
第１の連結点が第２の連結点に電気的には結合されない時、第１のラウドスピーカーモジュール及び第２のラウドスピーカーモジュールの回路抵抗値は変更できず、第１のラウドスピーカーモジュールと第２のラウドスピーカーモジュールは、夫々、第１の音量値を出力し、
第１の連結点が第２の連結点に電気的に結合される時、第１のラウドスピーカーモジュール及び第２のラウドスピーカーモジュールの回路抵抗値は減少し、第１のラウドスピーカーモジュール及び第２のラウドスピーカーモジュールは、夫々、第１の音量値よりも低い第２の音量値を出力する、
イヤホンモード及びスピーカーモードを有する音声出力デバイス。
【請求項２】
第１のラウドスピーカーモジュール及び第２のラウドスピーカーモジュールの回路抵抗値を変更するように、ユーザの操作を提供するための、第１のラウドスピーカーモジュール及び第２のラウドスピーカーモジュールに夫々電気的に結合された音量調節ユニットを更に備える、請求項１に記載のイヤホンモード及びスピーカーモードを有する音声出力デバイス。
【請求項３】
音量調節ユニットは可変抵抗器である、請求項２に記載のイヤホンモード及びスピーカーモードを有する音声出力デバイス。
【請求項４】
音源信号を増幅し、その増幅された音源信号を第１のラウドスピーカーモジュールに出力するための、音源調節ユニットに電気的に結合された第１の信号増幅ユニットと、
音源信号を増幅し、その増幅された音源信号を第２のラウドスピーカーモジュールに出力するための、音源調節ユニットに電気的に結合された第２の信号増幅ユニットと、を更に備える、
請求項２に記載のイヤホンモード及びスピーカーモードを有する音声出力デバイス。
【請求項５】
音源信号入力インターフェースはユニバーサルシリアルバス（ＵＳＢ）伝送インターフェースである、請求項１に記載のイヤホンモード及びスピーカーモードを有する音声出力デバイス。
【請求項６】
ＵＳＢ伝送インターフェースに電気的に結合されたＵＳＢコーダ／デコーダを更に備え、音源信号を増幅するため、及び第１のラウドスピーカーモジュール及び第２のラウドスピーカーモジュールを選択的に駆動して第１の音量値又は第２の音量値を出力するためにＵＳＢコーダ／デコーダが使用される、請求項５に記載のイヤホンモード及びスピーカーモードを有する音声出力デバイス。
【請求項７】
ＵＳＢコーダ／デコーダが第１のラウドスピーカーモジュール又は第２のラウドスピーカーモジュールの接地端子に電気的には結合されない時、第１のラウドスピーカーモジュール又は第２のラウドスピーカーモジュールは第１の音量値を出力する、請求項６に記載のイヤホンモード及びスピーカーモードを有する音声出力デバイス。
【請求項８】
ＵＳＢコーダ／デコーダが第１のラウドスピーカーモジュール又は第２のラウドスピーカーモジュールの接地端子に電気的に結合される時、第１のラウドスピーカーモジュール又は第２のラウドスピーカーモジュールは第２の音量値を出力する、請求項６に記載のイヤホンモード及びスピーカーモードを有する音声出力デバイス。
【請求項９】
音源信号入力インターフェースはオーディオジャックである、請求項１に記載のイヤホンモード及びスピーカーモードを有する音声出力デバイス。
【請求項１０】
イヤホンモード及びスピーカーモードを有する音声出力デバイスであって、
ユニバーサルシリアルバス（ＵＳＢ）伝送インターフェース及びＵＳＢコーダ／デコーダを有する音量出力制御モジュールであって、ＵＳＢ伝送インターフェースは音源信号を受信するために使用され、ＵＳＢコーダ／デコーダは、音源信号を増幅して、その増幅した音源信号を選択的に出力するために使用される音量出力制御モジュールと、
増幅された音源信号を出力するための、音量出力制御モジュールに電気的に結合された２つ以上の第１のラウドスピーカーモジュール群と、
増幅された音源信号を出力するための、音量出力制御モジュールに電気的に結合された２つ以上の第２のラウドスピーカーモジュール群と、を備え、
音量出力制御モジュールが、任意の１つ又はそれ以上の第１のラウドスピーカーモジュール又は第２のラウドスピーカーモジュールの接地端子に電気的には結合されていない時、音量出力制御モジュールは、任意の１つ又はそれ以上の第１のラウドスピーカーモジュール又は第２のラウドスピーカーモジュールに増幅された音源信号を出力することを可能にし、
音量出力制御モジュールが、任意の１つ又はそれ以上の第１のラウドスピーカーモジュール又は第２のラウドスピーカーモジュールの接地端子に電気的に結合されている時、音量出力制御モジュールは、任意の１つ又はそれ以上の第１のラウドスピーカーモジュール又は第２のラウドスピーカーモジュールに増幅された音源信号を出力しないように無効される、
イヤホンモード及びスピーカーモードを有する音声出力デバイス。
【発明の詳細な説明】
【技術分野】
【０００１】
本発明は、音声出力デバイスに関し、より具体的には、イヤホンモード及びスピーカーモードを有する音声出力デバイスに関する。
【背景技術】
【０００２】
マルチメディア時代の到来とともに、ユーザはいつどこでもマルチメディアによってもたらされたエンターテインメント効果を楽しむことができる。
例えば、ユーザはオーディオ／ビデオ再生デバイス等によってオーディオやビデオを再生して楽しむことができ、またエンターテインメント効果を楽しむための上記の方法は、ユーザの要求に従ってディスプレイ、スピーカー、又はイヤホンを通じて達成される。
大音量が可能な環境では、ユーザは、スピーカーをビデオ再生デバイスのスピーカー出力に接続することで音響効果を出力し、スピーカーの音量調節ノブで出力音量を制御する。
一方、小音量のみ可能な環境又はユーザが独りで音楽を鑑賞しようとする時、ユーザは、音響効果を出力するためにビデオ再生デバイスのイヤホンジャックにイヤホンを接続する必要がある。
しかしながら、大体のイヤホンには音量調節ノブがない。従って、ユーザがイヤホンの出力音量を調節したい時、ビデオ再生デバイスの音量出力値を設定してイヤホンによって出力される音量を調節しなければならず、使用上不便である。
【０００３】
更に、スピーカー及びイヤホンは一般的に２つの独立した製品である。即ち、この２つの製品が必要な場合、ユーザは両方を購入して、使用上の要求に従ってスピーカー又はイヤホンをビデオ再生デバイスに接続／から切断しなければならない。
更に、もしユーザがスピーカー又はイヤホンを携行するのを忘れた場合、ユーザはスピーカー又はイヤホンのどちらかのみを有するビデオ再生デバイスによって再生されたオーディオ及びビデオしか鑑賞できない。従って、使用上の不都合に加えて、携行上の利便性にも改善の余地がある。
【発明の開示】
【発明が解決しようとする課題】
【０００４】
上記の問題を考慮し、本発明は、イヤホンモード及びスピーカーモードを有する音声出力デバイスを提供し、そのデバイスは、音声出力デバイスのラウドスピーカーモジュールの接続状態を調節することによってラウドスピーカーモジュールの回路抵抗値を変更する。
このようにして、使用上の要求を満たすように、音声出力デバイスをイヤホンモード又はスピーカーモードに設定する。
【課題を解決するための手段】
【０００５】
本発明の開示に従うイヤホンモード及びスピーカーモードを有する音声出力デバイスは、第１のラウドスピーカーモジュール及び第２のラウドスピーカーモジュールを含む。
第１のラウドスピーカーモジュールは、音源信号を受信するための音源信号入力インターフェース、及び出力音量値を調節するための第１の連結点を有する。
第２のラウドスピーカーモジュールは、音源信号入力インターフェースに電気的に結合され、出力音量を調節するための第２の連結点を有する。
【０００６】
第１の連結点が第２の連結点に電気的には結合されない時、第１のラウドスピーカーモジュール及び第２のラウドスピーカーモジュールの回路抵抗値は変更できず、第１のラウドスピーカーモジュールと第２のラウドスピーカーモジュールは夫々第１の音量値を出力する。従って、音声出力デバイスはスピーカーモードに設定される。
第１の連結点が第２の連結点に電気的に結合されている間、第１のラウドスピーカーモジュール及び第２のラウドスピーカーモジュールの回路抵抗値は減少し、第１のラウドスピーカーモジュール及び第２のラウドスピーカーモジュールは、夫々第１の音量値よりも低い第２の音量値を出力する。従って音声出力デバイスはイヤホンモードに設定される。
【０００７】
本発明の開示に従うイヤホンモード及びスピーカーモードを有する音声出力デバイスは、イヤホン及びスピーカーを同じ音声出力デバイスに一体化する。
従って、ユーザはスピーカー又はイヤホンを携行し忘れるという心配がなく、先行技術よりも携行上便利である。
【０００８】
本発明の開示に従うイヤホンモード及びスピーカーモードを有する音声出力デバイスでは、音声出力デバイスがイヤホンモードに設定されている時でも、ユーザはなお音量調節ユニットを通じて出力音量値を調節できる。
【０００９】
このイヤホンモード及びスピーカーモードを有する音声出力デバイスを使用することによって、大音量が可能な環境では、各ラウドスピーカーモジュールの音量調節連結点を互いに電気的に結合することを通じて音声出力デバイスをスピーカーモードに設定する。
一方、小音量が可能な環境又はユーザが独りで音楽を鑑賞しようとする場合、各ラウドスピーカーモジュールの電気的に結合された音量調節連結点を分離することを通じて音声出力デバイスをイヤホンモードに設定する。
従って、ユーザは簡単な操作方法を通じて音声出力デバイスの出力モードを速やかに設定するという目的を達成し、且つスピーカー及びイヤホンを携行し忘れるという心配がなくなる。従って、先行技術よりも携行上便利である。
【００１０】
本発明の特徴及び実践に関しては、図面を参照しながら好適な実施形態を以下に詳細に説明する。
【００１１】
本発明の利用可能性の更なる範囲は、以下に与えられる詳細な記述から明らかになる。しかしながら、本発明の精神及び範囲内での様々な変更及び変形はこの詳細な記述から当業者に明らかになるので、詳細な記述及び具体例は、一方で本発明の好適な実施形態を示しつつ、専ら例示として与えられていることは理解されるべきである。
【発明を実施するための最良の形態】
【００１２】
本発明は、以下に専ら例示として与えられ、従って本発明を制限するものではない詳細な記述からより完全に理解される。
【００１３】
図１は、本発明の第１の実施形態の概略回路図である。
図１に示すように、本発明の第１の実施形態のイヤホンモード及びスピーカーモードを有する音声出力デバイスは、第１のラウドスピーカーモジュール１０及び第２のラウドスピーカーモジュール２０を含む。各モジュールを以下に説明する。
【００１４】
第１のラウドスピーカーモジュール１０は、音源信号入力インターフェース１１、第１の連結点１２、第１のスピーカー１３、第１の抵抗器Ｒ１，第２の抵抗器Ｒ２、及び音量調節ユニットＲ３を含む。そこでは、音源信号入力インターフェース１１は、外部機器（例えば、ビデオ再生デバイス）から音源信号を受信するために音量調節ユニットＲ３に電気的に結合され、音源信号入力インターフェース１１は、例えば、オーディオジャックである可能性がある。
第１の連結点１２は、出力音量値を調節するために、第１の抵抗器Ｒ１及び第２の抵抗器Ｒ２に電気的に結合される。
第１のスピーカー１３は、音源信号に対応する音響効果を生成するために、音量調節ユニットＲ３に電気的に結合される。
第１の連結点１２が第２の連結点２１に電気的に結合される時、第１のラウドスピーカーモジュール１０及び第２のラウドスピーカーモジュール２０の回路抵抗値を変更するために、第１の抵抗器Ｒ１及び第２の抵抗器Ｒ２が音量調節ユニットＲ３に電気的に結合される。
音量調節ユニットＲ３は、音源信号入力インターフェース１１、第１の抵抗器Ｒ１、第２の抵抗器Ｒ２、第１のスピーカー１３、及び第２のスピーカー２２と夫々、電気的に結合される。
従って、ユーザは第１のラウドスピーカーモジュール１０及び第２のラウドスピーカーモジュール２０の回路抵抗値を調節することができる。そこでは、音量調節ユニットＲ３は、例えば、可変抵抗器コンポーネントである可能性がある。
【００１５】
第２のラウドスピーカーモジュール２０は第２の連結点２１及び第２のスピーカー２２を有する。
第２のラウドスピーカーモジュール２０は音量調節ユニットＲ３を介して音源信号入力インターフェース１１に電気的に結合される。そこでは、第２の連結点２１は、出力音量値を調節するために、第２のスピーカー２２に電気的に結合される。
第２のスピーカー２２は、音源信号に対応する音響効果を生成するために、音量調節ユニットＲ３に電気的に結合される。
【００１６】
これから、この回路の動作原理を例示する。
【００１７】
まず、第１の連結点１２が第２の連結点２１に電気的に結合されない時、音声出力デバイスはスピーカーモードに設定され、第１のラウドスピーカーモジュール１０及び第２のラウドスピーカーモジュール２０の回路抵抗値は、音量調節ユニットＲ３、第１の抵抗器Ｒ１、及び第２の抵抗器Ｒ２によって決定される。即ち、第１の連結点１２が第２の連結点２１に電気的に結合されない時、音量調節ユニットＲ３は第１の抵抗器Ｒ１及び第２の抵抗器Ｒ２と直列接続されるので、回路抵抗値はより高くなる。従って、第１のラウドスピーカーモジュール１０及び第２のラウドスピーカーモジュール２０の出力はより高くなり、そして相対的に、第１のスピーカー１３及び第２のスピーカー２２の音量出力値（即ち、第１の音量値）もより高くなる。
【００１８】
第１の連結点１２が第２の連結点２１に電気的に結合される時、音声出力デバイスはイヤホンモードに設定される。
音量調節ユニットＲ３は第１の抵抗器Ｒ１及び第２の抵抗器Ｒ２と並列接続されるので、回路抵抗値はより低くなる。従って、第１のラウドスピーカーモジュール１０及び第２のラウドスピーカーモジュール２０の出力はより低くなり、そして相対的に、第１のスピーカー１３及び第２のスピーカー２２の音量出力値（即ち、第２の音量値）もより低くなる。
そこでは、例えば、金属線又は金属線を埋め込んだ取付枠を介して、第１の連結点１２と第２の連結点２１間の電気的結合が実現できる。
一方、第１のラウドスピーカーモジュール１０及び第２のラウドスピーカーモジュール２０がヘッドホン（この形状に限定はしないが）になるように、取付枠の両側に第１のラウドスピーカーモジュール１０及び第２のラウドスピーカーモジュール２０を夫々固定するために、取付枠は略円弧状の空間的構造にできる。
【００１９】
図２は、本発明の第２の実施形態の概略回路図である。
図２に示すように、本発明の第２の実施形態のイヤホンモード及びスピーカーモードを有する音声出力デバイスは、音源信号入力インターフェース１１、音量調節ユニットＲ３、第１の信号増幅ユニット３０、第２の信号増幅ユニット４０、第１の連結点１２、第２の連結点２１、第１のスピーカー１３、及び第２のスピーカー２２を含む。
各モジュール及びユニットを以下に説明する。
【００２０】
音源信号入力インターフェース１１は、外部機器（例えば、ビデオ再生デバイス）から音源信号を受信するために、音量調節ユニットＲ３に電気的に結合され、音源信号入力インターフェース１１は、例えば、オーディオジャックである可能性がある。
【００２１】
音量調節ユニットＲ３は、音源信号入力インターフェース１１、第１の信号増幅ユニット３０、及び第２の信号増幅ユニット４０に電気的に結合される。
このようにして、ユーザは第１のスピーカー１３及び第２のスピーカー２２の回路抵抗値を調節できる。そこでは、音量調節ユニットＲ３は、例えば、可変抵抗器コンポーネントである可能性がある。
【００２２】
第１の信号増幅ユニット３０は、音源信号を増幅し、その増幅された音源信号を第１のスピーカー１３に出力するために、音量調節ユニットＲ３に電気的に結合される。そこでは、第１の信号増幅ユニット３０は、第１の演算増幅器ＯＰ１、第６の抵抗器Ｒ６及び第７の抵抗器Ｒ７を含む。
第１の演算増幅器ＯＰ１の第１の入力端子（即ち、非反転入力端子）は音量調節ユニットＲ３の第１の端子に電気的に結合される。
第１の演算増幅器ＯＰ１の第２の入力端子（即ち、反転入力端子）は、第６の抵抗器Ｒ６の第２の端子、第７の抵抗器Ｒ７の第１の端子、及び第８の抵抗器Ｒ８の第１の端子に電気的に結合される。
演算増幅器ＯＰ１の出力端子は、第２のキャパシタＣ２の第１の端子及び第６の抵抗器Ｒ６の第１の端子に電気的に結合される。
第７の抵抗器Ｒ７の第２の端子は接地端子に電気的に結合され、第８の抵抗器Ｒ８の第２の端子は第１の連結点１２の第１の端子に電気的に結合される。
【００２３】
第２の信号増幅ユニット４０は、音源信号を増幅し、その増幅された音源信号を第２のスピーカー２２に出力するために、音量調節ユニットＲ３に電気的に結合される。そこでは、第２の信号増幅ユニット４０は、第２の演算増幅器ＯＰ２、第４の抵抗器Ｒ４、及び第５の抵抗器Ｒ５を含む。
第２の演算増幅器ＯＰ２の第１の入力端子（即ち、非反転入力端子）は音量調節ユニットＲ３の第２の端子に電気的に結合される。
第２の演算増幅器ＯＰ２の第２の入力端子（即ち、反転入力端子）は、第４の抵抗器Ｒ４の第２の端子、第５の抵抗器Ｒ５の第１の端子、及び第９の抵抗器Ｒ９の第１の端子に電気的に結合される。
演算増幅器ＯＰ２の出力端子は、第１のキャパシタＣ１の第１の端子及び第４の抵抗器Ｒ４の第１の端子に電気的に結合される。
第５の抵抗器Ｒ５の第２の端子は接地端子に電気的に結合され、第９の抵抗器Ｒ９の第２の端子は第１の連結点１２の第２の端子に電気的に結合される。
【００２４】
第１のスピーカー１３は、増幅された音源信号に対応する音響効果を生成するために、第１の信号増幅ユニット３０に電気的に結合される。
第１のスピーカー１３の第１の入力端子は、第２のキャパシタＣ２の第２の端子に電気的に結合され、第１のスピーカー１３の第２の入力端子は接地端子に電気的に結合される。
【００２５】
第２のスピーカー２２は、増幅された音源信号に対応する音響効果を生成するために、第２の信号増幅ユニット４０に電気的に結合される。
第２のスピーカー２２の第１の入力端子は、第１のキャパシタＣ１の第２の端子に電気的に結合され、第１のスピーカー１３の第２の入力端子は接地端子及び第２の連結点２１に電気的に結合される。
【００２６】
これから、この回路の動作原理を説明する。
【００２７】
まず、第１の連結点１２が第２の連結点２１に電気的に結合されない時、音声出力デバイスはスピーカーモードに設定される。
第１の信号増幅ユニット３０の回路抵抗値は、第６の抵抗器Ｒ６及び第７の抵抗器Ｒ７を直列接続することによって決定され、第２の信号増幅ユニット４０の回路抵抗値は、第４の抵抗値Ｒ４及び第５の抵抗値Ｒ５を直列接続することによって決定されるので、回路抵抗値はより高くなる。従って、第１のスピーカー１３及び第２のスピーカー２２の出力はより高くなり、そして相対的に、第１のスピーカー１３及び第２のスピーカー２２の音量出力値（即ち、第１の音量値）もより高くなる。
【００２８】
第１の連結点１２が第２の連結点２１に電気的に結合される時、音声出力デバイスはイヤホンモードに設定される。
第１の信号増幅ユニット３０の回路抵抗値は、第７の抵抗器Ｒ７及び第８の抵抗器Ｒ８を並列接続し、次にそれらを第６の抵抗器Ｒ６と直列接続することによって決定される。
一方、第２の信号増幅ユニット４０の回路抵抗値は、第４の抵抗器Ｒ４及び第５の抵抗器Ｒ５を並列接続し、次にそれらを第９の抵抗器Ｒ９と直列接続することによって決定されるので、回路抵抗値はより低くなる。従って、第１のスピーカー１３及び第２のスピーカー２２の出力はより低くなり、そして相対的に、第１のスピーカー１３及び第２のスピーカー２２の音量出力値（即ち、第２の音量値）もより低くなる。
第１のキャパシタＣ１及び第２のキャパシタＣ２を使用して直流（ＤＣ）バイアスを絶縁し、ＤＣ電流が第１のスピーカー１３及び第２のスピーカー２２に入るのを防止する。
【００２９】
図３は、本発明の第３の実施形態の概略回路図である。
図３に示すように、本発明の第３の実施形態のイヤホンモード及びスピーカーモードを有する音声出力デバイスは、ユニバーサルシリアルバス（ＵＳＢ）伝送インターフェース１５、ＵＳＢコーダ／デコーダ５０、第１の連結点１２、第２の連結点２１、第１のスピーカー１３、及び第２のスピーカー２２を有する音量出力制御モジュール含む。
各モジュールを以下に説明する。
【００３０】
ＵＳＢ伝送インターフェース１５は、外部機器（例えば、ビデオ再生デバイス）及び電源Ｖｃｃから音源を受信するために、ＵＳＢコーダ／デコーダ５０に電気的に結合される。
【００３１】
ＵＳＢコーダ／デコーダ５０は、音源信号を増幅して、それを第１のスピーカー１３及び第２のスピーカー２２に出力するために、ＵＳＢ伝送インターフェース１５に電気的に結合される。
【００３２】
第１の連結点１２はＵＳＢコーダ／デコーダ５０に電気的に結合される。そこでは、第１０の抵抗器Ｒ１０の第１の端子は、ＵＳＢコーダ／デコーダ５０及び第１の連結点１２に電気的に結合され、第２の連結点２１は第２のスピーカー２２に電気的に結合される。
【００３３】
第１のスピーカー１３の第１の端子はＵＳＢコーダ／デコーダ５０に電気的に結合される。そこでは、第３のキャパシタＣ３は第１のスピーカー１３とＵＳＢコーダ／デコーダ５０間に直列接続され、第１のスピーカー１３の第２の端子は接地端子に電気的に結合される。
【００３４】
第２のスピーカー２２の第１の端子はＵＳＢコーダ／デコーダ５０に電気的に結合される。そこでは、第４のキャパシタＣ４は第２のスピーカー２２とＵＳＢコーダ／デコーダ５０間に直列接続され、第２のスピーカー２２の第２の端子は接地端子及び第２の連結点２１に電気的に結合される。
【００３５】
これから、この回路の動作原理を説明する。
【００３６】
まず、第１の連結点１２が第２の連結点２１に電気的に結合されない時、音声出力デバイスはスピーカーモードに設定される。
ＵＳＢコーダ／デコーダ５０は、第１０の抵抗器Ｒ１０の分割された電圧値に従って音源信号を増幅するための増幅値を決定する。従って、第１０の抵抗器Ｒ１０の分割された電圧値（例えば、高レベル電圧信号）に従って、ＵＳＢコーダ／デコーダ５０は第１の増幅値を有する音源信号を第１のスピーカー１３及び第２のスピーカー２２に出力する。従って、第１のスピーカー１３及び第２のスピーカー２２は第１の音量値を出力する。本発明の各実施形態において、第１の音量値は第２の音量値よりも高い。
【００３７】
第１の連結点１２が第２の連結点２１に電気的に結合される時、音声出力デバイスはイヤホンモードに設定される。
ＵＳＢコーダ／デコーダ５０は、第１０の抵抗器Ｒ１０の分割された電圧値に従って音源信号を増幅するための増幅値を決定する。従って、第１０の抵抗器Ｒ１０の分割された電圧値（例えば、低レベル電圧信号）に従って、ＵＳＢコーダ／デコーダ５０は第２の増幅値を有する音源信号を第１のスピーカー１３及び第２のスピーカー２２に出力する。従って、第１のスピーカー１３及び第２のスピーカー２２は第２の音量値を出力する。
本発明の各実施形態において、第２の音量値は第１の音量値よりも低い。
第３のキャパシタＣ３及び第４のキャパシタＣ４を使用してＤＣバイアスを絶縁し、且つ直流が第１のスピーカー１３及び第２のスピーカー２２に入るのを防止する。
【００３８】
図４は、本発明の第４の実施形態の概略回路図である。
図４に示すように、本発明の第４の実施形態のイヤホンモード及びスピーカーモードを有する音声出力デバイスは、ＵＳＢ伝送インターフェース１５、ＵＳＢコーダ／デコーダ５０、第１の連結点１２、第２の連結点２１、第１のスピーカー１３、第２のスピーカー２２、第３のスピーカー１４、及び第４のスピーカー２３を有する音量出力制御モジュールを含む。
各モジュールを以下に説明する。
【００３９】
ＵＳＢ伝送インターフェース１５は、外部機器（例えば、ビデオ再生デバイス）及び電源Ｖｃｃから音源信号を受信するために、ＵＳＢコーダ／デコーダ５０に電気的に結合される。
【００４０】
ＵＳＢコーダ／デコーダ５０は、音源信号を増幅して、それを第１のスピーカー１３、第２のスピーカー２２、第３のスピーカー１４、及び第４のスピーカー２３に出力するために、ＵＳＢ伝送インターフェース１５に電気的に結合される。
【００４１】
第１の連結点１２はＵＳＢコーダ／デコーダ５０のイネーブルピン５１に電気的に結合される。
一方、第２の連結点２１は第２のスピーカー２２に電気的に結合される。
【００４２】
第１のスピーカー１３の第１の端子はＵＳＢコーダ／デコーダ５０に電気的に結合され、第１のスピーカー１３の第２の端子は接地端子に電気的に結合される。
【００４３】
第２のスピーカー２２の第１の端子はＵＳＢコーダ／デコーダ５０に電気的に結合され、第２のスピーカー２２の第２の端子は接地端子及び第２の連結点２１に電気的に結合される。
【００４４】
第３のスピーカー１４の第１の端子はＵＳＢコーダ／デコーダ５０に電気的に結合され、一方、第３のスピーカー１４の第２の端子は接地端子に電気的に結合される。
【００４５】
第４のスピーカー２３の第１の端子はＵＳＢコーダ／デコーダ５０に電気的に結合され、第４のスピーカー２３の第２の端子は接地端子に電気的に結合される。
【００４６】
これから、この回路の動作原理を説明する。
【００４７】
まず、第１の連結点１２が第２の連結点２１に電気的に結合されない時、音声出力デバイスはスピーカーモードに設定され、ＵＳＢコーダ／デコーダ５０は、スピーカーイネーブルピン５１のレベル信号に従って、第１のスピーカー１３、第２のスピーカー２２、第３のスピーカー１４、又は第４のスピーカー２３に増幅された音源信号を出力すべきか否かを決定する。
このようにして、スピーカーイネーブルピン５１が接地端子に電気的に結合されるという関係に従って、ＵＳＢコーダ／デコーダ５０は、第１のスピーカー１３、第２のスピーカー２２、第３のスピーカー１４、及び第４のスピーカー２３に増幅された音源信号を出力することができるようになる。従って、４つのスピーカーによって同時に出力される音量値は、２つのスピーカーによって同時に出力される音量値よりも高い。
【００４８】
第１の連結点１２が第２の連結点２１に電気的に結合される時、音声出力デバイスはイヤホンモードに設定され、ＵＳＢコーダ／デコーダ５０は、スピーカーイネーブルピン５１のレベル信号に従って、第１のスピーカー１３、第２のスピーカー２２、第３のスピーカー１４、又は第４のスピーカー２３に増幅された音源信号を出力すべきか否かを決定する。
このようにして、スピーカーイネーブルピン５１は接地端子に電気的に結合されないという関係に従って、ＵＳＢコーダ／デコーダ５０は、第３のスピーカー１４及び第４のスピーカー２３に増幅された音源信号を出力しないことができなくなる。従って、２つのスピーカーによって同時に出力される音量値は、４つのスピーカーによって同時に出力される音量値よりも低い。
【００４９】
要約すれば、本発明のイヤホンモード及びスピーカーモードを有する音声出力デバイスを使用することによって、大音量が可能な環境では、各ラウドスピーカーモジュールの音量調節連結点を互いに電気的に結合することによって音声出力デバイスをスピーカーモードに設定し、小音量が可能な環境又はユーザが独りで音楽を鑑賞しようとする場合、各ラウドスピーカーモジュールの電気的に結合された音量調節連結点を分離することを通じて音声出力デバイスをイヤホンモードに設定する。
こうして、ユーザは簡単な操作方法を通じて音声出力デバイスの出力モードを素早く設定することができ、スピーカー又はイヤホンを携行し忘れるという心配がない。従って、先行技術に比べて携行上より便利である。
【００５０】
本発明は上述したように、様々に変更してもよいことは明らかである。
そのような変更は本発明の精神及び範囲からの逸脱と見なされるべきではなく、当業者に明らかであるような変形は特許請求の範囲内に含まれることが意図されている。
【図面の簡単な説明】
【００５１】
【図１】本発明の第１の実施形態の概略回路図である。
【図２】本発明の第２の実施形態の概略回路図である。
【図３】本発明の第３の実施形態の概略回路図である。
【図４】本発明の第４の実施形態の概略回路図である。
【図１】
2008263299.tif 000003
【図２】
2008263299.tif 000004
【図３】
2008263299.tif 000005
【図４】
2008263299.tif 000006